(57)【要約】【課題】  マルチ空気調和機において、効率的に室内機の運転パターンを決定して圧力の損失によるエネルギーの無駄遣いを防止し円滑な冷暖房を可能とすること。【解決手段】  室外機１と、分配機２と、複数の室内機を有するマルチ空気調和機の運転方法において、複数の室内機のうち暖房運転を行う室内機の暖房総負荷と、冷房運転を行う室内機の冷房総負荷を計算する段階と、冷房総負荷と暖房総負荷によって室外機の運転パターンを決定する段階を含んで成ることを特徴とする。【選択図】      図１
2004219063.tif 000002
【特許請求の範囲】
【請求項１】
室外機と分配機と複数の室内機を有するマルチ空気調和機の運転方法において、
前記複数の室内機のうち、暖房運転を行う室内機の暖房総負荷と冷房運転を行う室内機の冷房総負荷を計算する段階と、
前記冷房総負荷と暖房総負荷によって前記室外機の運転パターンを決定する段階を含んで成るマルチ空気調和機の運転方法。
【請求項２】
前記冷房運転を行う室内機の容量がＱc1、Ｑc2、Ｑc3、…、運転温度がＴcs1、Ｔcs2、Ｔcs3、…、各室内温度をＴcr1、Ｔcr2、Ｔcr3、…とする時、前記室内機の冷房総負荷は、
Ｑc1×(Ｔcr1−Ｔcs1)＋Ｑc2×(Ｔcr2−Ｔcs2)＋Ｑc3×(Ｔcr3−Ｔcs3)＋…であり、
前記暖房運転を行う室内機の容量がＱh1、Ｑh2、Ｑh3、…、運転温度がＴhs1、Ｔhs2、Ｔhs3、…、各室内温度をＴhr1、Ｔhr2、Ｔhr3、…とする時、前記室内機の暖房総負荷は、
Ｑh1×(Ｔhs1−Ｔhr1)＋Ｑh2×(Ｔhs2−Ｔhr2)＋Ｑh3×(Ｔhs3−Ｔhr3)＋…である請求項１に記載のマルチ空気調和機の運転方法。
【請求項３】
前記室外機の運転パターンを決定する段階は、
前記室内機の暖房総負荷と冷房総負荷とを比較する段階と、
前記暖房総負荷が冷房総負荷より大きければ室外機が暖房運転を行う段階と、
前記暖房総負荷が冷房総負荷より小さければ室外機が冷房運転を行う段階とを備えた請求項１に記載のマルチ空気調和機の運転方法。
【請求項４】
前記室外機の運転パターンを決定する段階は、
前記暖房総負荷と冷房総負荷とが同一であるとき、前記室外温度と予め設定されている基準温度とを比較する段階と、
前記室外温度が基準温度を超過すると室外機が冷房運転を行い、室外温度が基準温度以下であるとき、室外機が暖房運転を行う段階を更に備えた請求項３に記載のマルチ空気調和機の運転方法。
【請求項５】
前記基準温度は、１５℃である請求項４に記載のマルチ空気調和機の運転方法。
【請求項６】
前記室内機の運転温度の変更によって前記室内機の暖房総負荷と冷房総負荷とを再計算する段階と、
前記再計算した暖房総負荷と冷房総負荷によって前記室外機の運転パターンを変更する段階を更に備えた請求項１に記載のマルチ空気調和機の運転方法。
【請求項７】
前記室内機のうち、冷房運転を行う室内機の容量がＱc1、Ｑc2、Ｑc3、…、変更された運転温度がＴcm1、Ｔcm2、Ｔcm3、…、各室内温度をＴcr1、Ｔcr2、Ｔcr3、…とする時、前記再計算される室内機３の冷房総負荷は、
Ｑc1×(Ｔcr1−Ｔcm1)＋Ｑc2×(Ｔcr2−Ｔcm2)＋Ｑc3×(Ｔcr3−Ｔcm3)＋…であり、
前記室内機３のうち、暖房運転を行う室内機の容量がＱh1、Ｑh2、Ｑh3、…、変更された運転温度がＴhm1、Ｔhm2、Ｔhm3、…、各室内温度をＴhr1、Ｔhr2、Ｔhr3、…とする時、前記再計算される室内機の暖房総負荷は、
Ｑh1×(Ｔhm1−Ｔhr1)＋Ｑh2×(Ｔhm2−Ｔhr2)＋Ｑh3×(Ｔhm3−Ｔhr3)＋…である請求項６に記載のマルチ空気調和機の運転方法。
【請求項８】
前記室外機の運転パターンを変更する段階は、
前記再計算された冷房総負荷と暖房総負荷とを比較する段階と、
前記暖房総負荷が冷房総負荷より大きければ室外機が暖房運転を行う段階と、
前記暖房総負荷が冷房総負荷より小さければ室外機が冷房運転を行う段階とを備えた請求項６に記載のマルチ空気調和機の運転方法。
【請求項９】
前記室外機の運転パターンを変更する段階は、
前記暖房総負荷と冷房総負荷とが同一であるとき、前記室外温度と予め設定されている基準温度を比較する段階と、
前記室外温度が基準温度を超過すると室外機が冷房運転を行い、室外温度が基準温度以下であるとき、室外機が暖房運転を行う段階を更に備えた請求項８に記載のマルチ空気調和機の運転方法。
【請求項１０】
前記基準温度は、１５℃である請求項９に記載のマルチ空気調和機の運転方法。
【請求項１１】
前記室内機の運転温度が変更されたとき、前記室内機の暖房総負荷と冷房総負荷とを再計算する段階と、
前記再計算した暖房総負荷と冷房総負荷によって前記室外機の運転パターンを変更する段階を更に備えた請求項１に記載のマルチ空気調和機の運転方法。
【請求項１２】
前記室内機の冷房総負荷または暖房総負荷を再計算する段階は、
前記室外機の運転パターンを判断する段階と、
前記室外機の運転パターンが冷房運転であるとき、前記室内機の冷房総負荷だけを再計算し、前記室外機の運転パターンが暖房運転であるとき、前記室内機の暖房総負荷だけを再計算する段階とを具備する請求項１１に記載のマルチ空気調和機の運転方法。
【請求項１３】
前記室内機のうち、冷房運転を行う室内機の容量がＱc1、Ｑc2、Ｑc3、…、変更された運転温度がＴcm1、Ｔcm2、Ｔcm3、…、各室内温度をＴcr1、Ｔcr2、Ｔcr3、…とする時、
前記再計算される室内機の冷房総負荷は、
Ｑc1×(Ｔcr1−Ｔcm1)＋Ｑc2×(Ｔcr2−Ｔcm2)＋Ｑc3×(Ｔcr3−Ｔcm3)＋…であり、
前記室内機のうち、暖房運転を行う室内機の容量がＱh1、Ｑh2、Ｑh3、…、変更された運転温度がＴhm1、Ｔhm2、Ｔhm3、…、各室内温度をＴhr1、Ｔhr2、Ｔhr3、…とする時、
前記再計算される室内機の暖房総負荷は、
Ｑh1×(Ｔhm1−Ｔhr1)＋Ｑh2×(Ｔhm2−Ｔhr2)＋Ｑh3×(Ｔhm3−Ｔhr3)＋…である請求項１２に記載のマルチ空気調和機の運転方法。
【請求項１４】
前記室外機の運転パターンを変更する段階は、
前記再計算された冷暖房総負荷と運転温度が変更される前の室内機の冷暖房総負荷とを比較する段階と、
前記再計算された冷房総負荷が運転温度が変更される前の室内機の暖房総負荷以上であるとき、室外機が冷房運転を継続し、暖房総負荷未満であるとき室外機が暖房運転を行う段階と、
前記再計算した暖房総負荷が運転温度が変更される前の室内機の冷房総負荷以上であるとき、室外機が暖房運転を継続し、冷房総負荷未満であるとき室外機が冷房運転を行う段階とを備えた請求項１２に記載のマルチ空気調和機の運転方法。
【請求項１５】
前記室外機の運転パターンを変更する段階は、
前記再計算された冷房総負荷が運転温度が変更される前の室内機の暖房総負荷と同一であるか、あるいは、前記再計算された暖房総負荷が運転温度が変更される前の室外機の冷房総負荷と同一であるとき、室外温度と予め設定されている基準温度とを比較する段階と、
前記室外温度が基準温度を超過すると室外機が冷房運転を行い、室外温度が基準温度以下であるとき、室外機が暖房運転を行う段階を更に備えた請求項１４に記載のマルチ空気調和機の運転方法。
【請求項１６】
前記基準温度は、１５℃である請求項１５に記載のマルチ空気調和機の運転方法。
【請求項１７】
前記再計算される冷房総負荷は運転温度が変更される前の室内機の冷房総負荷と運転温度の変更によって追加として必要な室内機の冷房負荷を合わせて計算し、
前記再計算される暖房総負荷は運転温度が変更される前の室内機の冷房総負荷と運転温度の変更によって追加として必要な室内機の冷房負荷とを合わせて計算される請求項１２に記載のマルチ空気調和機の運転方法。
【請求項１８】
前記室内機のうち、冷房運転を行う室内機の容量がＱc1、Ｑc2、Ｑc3、…、前記室外機の運転温度がＴcs1、Ｔcs2、Ｔcs3、…に変更される時、
前記追加として必要な室内機の冷房負荷は、
Ｑc1×(Ｔcs1−Ｔcm1)＋Ｑc2×(Ｔcs2−Ｔcm2)＋Ｑc3×(Ｔcs3−Ｔcm3)＋…であり、
前記室内機のうち、暖房運転を行う室内機の容量がＱh1、Ｑh2、Ｑh3、…、前記室内機の運転温度がＴhs1、Ｔhs2、Ｔhs3、…からＴhm1、Ｔhm2、Ｔhm3、…に変更される時、
前記追加として必要な室内機の暖房負荷は、
Ｑh1×(Ｔhm1−Ｔhs1)＋Ｑh2×(Ｔhm2−Ｔhs2)＋Ｑh3×(Ｔhm3−Ｔhs3)＋…である請求項１７に記載のマルチ空気調和機の運転方法。
【請求項１９】
前記室外機の運転パターンを変更する段階は、
前記再計算された冷暖房総負荷と運転温度が変更される前の室内機の冷暖房総負荷とを比較する段階と、
前記再計算された冷房総負荷が運転温度が変更される前の室内機の暖房房総負荷以上であるとき、室外機が冷房運転を継続し、暖房総負荷未満であるとき室外機が暖房運転を行い段階と、
前記再計算された暖房総負荷が、運転温度が変更される前の室内機の冷房総負荷以上であるとき、室外機が暖房運転を継続し、冷房総負荷未満であるとき室外機が冷房運転を行う段階とを具備する請求項１７に記載のマルチ空気調和機の運転方法。
【請求項２０】
前記室外機の運転パターンを変更する段階は、
前記再計算された冷房総負荷が、運転温度が変更される前の室内機の暖房総負荷と同一であるか、あるいは、前記再計算した冷房総負荷が、運転温度が変更される前の室外機の暖房総負荷と同一であるとき、室外温度と予め設定されている基準温度とを比較する段階と、
前記室外温度が基準温度を超過すると室外機が冷房運転を行い、室外温度が基準温度以下であるとき、室外機が暖房運転を行う段階を更に備えた請求項１９に記載のマルチ空気調和機の運転方法。
【発明の詳細な説明】
【技術分野】
【０００１】
本発明はマルチ空気調和機に関するもので、特に、効率的に室外機の運転パターンを決定するマルチ空気調和機の運転方法に関するものである。
【背景技術】
【０００２】
一般に、空気調和機は、住居空間、レストラン、又は事務室などの室内空間を冷房又は暖房するための装置である。
近時、複数の室に区切られた室内空間をより効率的に冷房又は暖房するために、運転条件に沿って冷房または暖房運転を行うか、冷房運転と暖房運転とを同時に行えるマルチ空気調和機の開発が持続的に行われている。
【０００３】
かかるマルチ空気調和機は、一般的に冷媒と外部空気とを熱交換する室外熱交換機を備える一台の室外機に多数台の室内機が連結される。また、前記室外機は暖房運転または冷房運転を行う各室内機の運転パターンによって運転パターンが決定される。
【０００４】
以下、前記各室内機の運転パターンによって前記室外機の運転パターンを決定する従来のマルチ空気調和機の運転方法について説明する。
先ず、前記各室内機が冷房運転だけを行う場合、室外機は冷房運転を行ない、この時前記室外熱交換機は凝縮機の役割を果たす。また、前記各室内機が暖房運転だけを行う場合、室外機は暖房運転だけを行ない、この時前記室外熱交換機は蒸発器としての役割を行う。
【０００５】
また、前記室内機が冷房運転と暖房運転を同時に行う場合には、冷房を行う室内機の台数と暖房を行う室内機の台数とを比較して冷房運転を行う室内機の台数が多い場合、室外機は冷房運転を行ない、暖房運転を行う室内機の台数が多い場合、室外機は暖房運転を行う。
【０００６】
然しながら、前記のような関連技術のマルチ空気調和機の運転方法には次のような問題があった。前記室内機が冷暖房運転を同時に行う場合に、実質的に室内機の運転に必要な負荷を判断せずに、単純に冷暖房運転を行っている室内機の台数を比較して室外機の運転パターンを決定するので、運転途中に室外機の運転パターンが変更されるという問題があった。
【０００７】
即ち、暖房運転を行っている室内機の台数が多くても、室内機が冷房運転に更に多くの負荷が必要な場合、室外機は冷房運転をしなければならない。
然しながら、関連技術の運転方法によると室外機が暖房運転を行い、結局運転途中に室外機の運転パターンが変更された。
【０００８】
また、前記のように運転途中、室外機の運転パターンが変更されると、圧力損失によるエネルギーはもちろん、冷暖房が円滑にならないという問題があった。
【発明の開示】
【発明が解決しようとする課題】
【０００９】
本発明は、上記関連技術の問題点を解決するためのもので、その目的は、効率的に室内機の運転パターンを決定し、圧力の損失によるエネルギーの無駄遣いを防止し、円滑な冷暖房を可能とするマルチ空気調和機の運転方法を提供することである。
【課題を解決するための手段】
【００１０】
上記目的を達成するために、本発明によるマルチ空気調和機の運転方法は、前記複数の室内機のうち、暖房運転を行う室内機の暖房総負荷と冷房運転を行う室内機の冷房総負荷を計算する段階と、前記冷房総負荷と暖房総負荷によって前記室外機の運転パターンを決定する段階を含めてなる。
【００１１】
ここで、前記室内機の冷房総負荷は、前記冷房運転を行う室内機の容量がＱc1、Ｑc2、Ｑc3、…、運転温度がＴcs1、Ｔcs2、Ｔcs3、…、各室内温度をＴcr1、Ｔcr2、Ｔcr3、…とする時、前記室内機の冷房総負荷は、Ｑc1×(Ｔcr1−Ｔcs1)＋Ｑc2×(Ｔcr2−Ｔcs2)＋Ｑc3×(Ｔcr3−Ｔcs3)＋…であり、前記暖房運転を行う室内機の容量がＱh1、Ｑh2、Ｑh3、…運転温度がＴhs1、Ｔhs2、Ｔhs3、…、各室内温度をＴhr1、Ｔhr2、Ｔhr3、…とする時、前記室内機の暖房総負荷は、Ｑh1×(Ｔhs1−Ｔhr1)＋Ｑh2×(Ｔhs2−Ｔhr2)＋Ｑh3×(Ｔhs3−Ｔhr3)＋…であることが望ましい。
【００１２】
前記室外機の運転パターンを決定する段階は、前記室内機の暖房総負荷と冷房総負荷とを比較する段階と、前記暖房総負荷が冷房総負荷より大きければ室外機が暖房運転を行い、前記暖房総負荷が冷房総負荷より小さければ室外機が冷房運転を行う段階を備える。
【００１３】
前記室外機の運転パターンを決定する段階は、前記暖房総負荷と冷房総負荷とが同一であるとき、前記室外温度と予め設定されている基準温度とを比較する段階と、前記室外温度が基準温度を超過すると室外機が冷房運転を行い、室外温度が基準温度以下であるとき、室外機が暖房運転を行う段階を更に備えることが望ましく、前記基準温度は、１５℃であることが望ましい。
【００１４】
前記室内機の運転温度の変更によって前記室内機の暖房総負荷と冷房総負荷とを再計算する段階と、前記再計算した暖房総負荷と冷房総負荷によって前記室外機の運転パターンを変更する段階を更に備える。
【００１５】
ここで、前記再計算する室内機の冷房総負荷は、前記室内機のうち、冷房運転を行う室内機の容量がＱc1、Ｑc2、Ｑc3、…、変更された運転温度がＴcm1、Ｔcm2、Ｔcm3、…、各室内温度をＴcr1、Ｔcr2、Ｔcr3、…とする時、前記再計算される室内機３の冷房総負荷は、Ｑc1×(Ｔcr1−Ｔcm1)＋Ｑc2×(Ｔcr2−Ｔcm2)＋Ｑc3×(Ｔcr3−Ｔcm3)＋…であり、前記室内機３のうち、暖房運転を行う室内機の容量がＱh1、Ｑh2、Ｑh3、…、変更された運転温度がＴhm1、Ｔhm2、Ｔhm3、…、各室内温度をＴhr1、Ｔhr2、Ｔhr3、…とする時、
前記再計算される室内機の暖房総負荷は、Ｑh1×(Ｔhm1−Ｔhr1)＋Ｑh2×(Ｔhm2−Ｔhr2)＋Ｑh3×(Ｔhm3−Ｔhr3)＋…であることが望ましい。
【００１６】
前記室外機の運転パターンを変更する段階は、前記再計算された冷房総負荷と暖房総負荷とを比較する段階と、前記暖房総負荷が冷房総負荷より大きければ室外機が暖房運転を行い、前記暖房総負荷が冷房総負荷より小さければ室外機が冷房運転を行う段階を備える。
【００１７】
前記室外機の運転パターンを変更する段階は、前記暖房総負荷と冷房総負荷とが同一であるとき、前記室外温度と予め設定されている基準温度を比較する段階と、前記室外温度が基準温度を超過すると室外機が冷房運転を行い、室外温度が基準温度以下であるとき、室外機が暖房運転を行う段階を更に備える。前記基準温度は、１５℃であることが望ましい。
【００１８】
前記室内機の運転温度が変更すれば、前記室内機の暖房総負荷と冷房総負荷とを再計算する段階と、前記再計算した暖房総負荷と冷房総負荷によって前記室外機の運転パターンを変更する段階を更に備える。
【００１９】
前記室内機の冷房総負荷または暖房総負荷を再計算する段階は、前記室外機の運転パターンを判断する段階と、前記室外機の運転パターンが冷房運転であるとき、前記室内機の冷房総負荷だけを再計算し、前記室外機の運転パターンが暖房運転であるとき、前記室内機の暖房総負荷だけを再計算する段階とを備える。
【００２０】
前記室内機のうち、冷房運転を行う室内機の容量がＱc1、Ｑc2、Ｑc3、…、変更された運転温度がＴcm1、Ｔcm2、Ｔcm3、…、各室内温度をＴcr1、Ｔcr2、Ｔcr3、…とする時、前記再計算される室内機の冷房総負荷は、Ｑc1×(Ｔcr1−Ｔcm1)＋Ｑc2×(Ｔcr2−Ｔcm2)＋Ｑc3×(Ｔcr3−Ｔcm3)＋…であり、前記室内機のうち、暖房運転を行う室内機の容量がＱh1、Ｑh2、Ｑh3、…、変更された運転温度がＴhm1、Ｔhm2、Ｔhm3、…、各室内温度をＴhr1、Ｔhr2、Ｔhr3、…とする時、前記再計算される室内機の暖房総負荷は、Ｑh1×(Ｔhm1−Ｔhr1)＋Ｑh2×(Ｔhm2−Ｔhr2)＋Ｑh3×(Ｔhm3−Ｔhr3)＋…である。
【００２１】
前記室外機の運転パターンを変更する段階は、前記再計算された冷暖房総負荷と運転温度が変更される前の室内機の冷暖房総負荷とを比較する段階と、前記再計算された冷房総負荷が、運転温度が変更される前の室内機の暖房総負荷以上であるとき、室外機が冷房運転を継続し、暖房総負荷未満であるとき、室外機が暖房運転を行う段階と、前記再計算した暖房総負荷が、運転温度が変更される前の室内機の冷房総負荷以上であるとき、室外機が暖房運転を継続し、冷房総負荷未満であるとき、室外機が冷房運転を行う段階とを備える。
【００２２】
前記室外機の運転パターンを変更する段階は、前記再計算された冷房総負荷が運転温度が変更される前の室内機の暖房総負荷と同一であるか、あるいは、前記再計算された暖房総負荷が運転温度が変更される前の室外機の冷房総負荷と同一であるとき、室外温度と予め設定されている基準温度とを比較する段階と、
前記室外温度が基準温度を超過すると室外機が冷房運転を行い、室外温度が基準温度以下であるとき、室外機が暖房運転を行う段階を更に備える。前記基準温度は、１５℃であることが望ましい。
【００２３】
前記再計算される冷房総負荷は運転温度が変更される前の室内機の冷房総負荷と運転温度の変更によって追加として必要な室内機の冷房負荷を合わせて計算し、前記再計算される暖房総負荷は運転温度が変更される前の室内機の冷房総負荷と運転温度の変更によって追加として必要な室内機の冷房負荷とを合わせて計算され、前記室内機のうち、冷房運転を行う室内機の容量がＱc1、Ｑc2、Ｑc3、…、前記室外機の運転温度がＴcs1、Ｔcs2、Ｔcs3、…に変更される時、前記追加として必要な室内機の冷房負荷は、Ｑc1×(Ｔcs1−Ｔcm1)＋Ｑc2×(Ｔcs2−Ｔcm2)＋Ｑc3×(Ｔcs3−Ｔcm3)＋…であり、前記室内機のうち、暖房運転を行う室内機の容量がＱh1、Ｑh2、Ｑh3、…、前記室内機の運転温度がＴhs1、Ｔhs2、Ｔhs3、…からＴhm1、Ｔhm2、Ｔhm3、…に変更される時、前記追加として必要な室内機の暖房負荷は、Ｑh1×(Ｔhm1−Ｔhs1)＋Ｑh2×(Ｔhm2−Ｔhs2)＋Ｑh3×(Ｔhm3−Ｔhs3)＋…であることが望ましい。
【発明の効果】
【００２４】
本発明は室内機の冷房総負荷と暖房総負荷とを比較して室外機の運転パターンを決定する。従って、従来のように冷暖房総負荷を正確に計算せずに運転を開始してから、運転途中に室外機の運転パターンを変更することになる問題を防止することができ、圧力の損失によるエネルギーの無駄遣いを防止し、円滑な冷暖房を可能にすることができる。
【発明を実施するための最良の形態】
【００２５】
以下、本発明の好ましい実施形態を添付の図面に基づいて詳細に説明する。
図１は、本発明の第１実施形態によるマルチ空気調和機の運転方法を示すフローチャートであり、図２は本発明の第１実施形態による室内機の冷房総負荷と暖房総負荷とを計算する方法を示す図である。図１及び図２に示すように、室外機１と分配機２と複数の室内機３を有する本発明によるマルチ空気調和機は室内機３の冷暖房総負荷によって室外機１の運転パターンを決定する。
【００２６】
前記暖房総負荷は、前記複数の室内機３のうち、暖房運転を行う室内機３の暖房負荷を全て合算した値であり、前記冷房総負荷は冷房運転を行う室内機３の冷房負荷を全て合算した値である。このように、前記室内機３の冷暖房総負荷はマルチ空気調和機の運転開始前に計算する。
【００２７】
前記冷暖房総負荷を計算する方法について図２を参照して更に詳しく説明すれば次の通りである。
以下、各図面には冷房運転を行う室内機３台と、暖房運転を行う室内機３台だけを図示しているが、前記冷暖房運転を行う室内機の台数はこれに限定しない。
【００２８】
先ず、前記室内機３の冷房総負荷は、Ｑc1×(Ｔcr1−Ｔcs1)＋Ｑc2×(Ｔcr2−Ｔcs2)＋Ｑc3×(Ｔcr3−Ｔcs3)＋…のように計算する。
ここで、Ｑh1、Ｑh2、Ｑh3、…は冷房運転を行う室内機３の容量である。また、Ｔcs1、Ｔcs2、Ｔcs3、…は各室内機３の運転温度を示し、Ｔcr1、Ｔcr2、Ｔcr3、…は各室の室内温度を示す。
【００２９】
また、前記室内機３の暖房総負荷は、Ｑh1×(Ｔhs1−Ｔhr1)＋Ｑh2×(Ｔhs2−Ｔhr2)＋Ｑh3×(Ｔhs3−Ｔhr3)＋…のように計算する。ここで、Ｑh1、Ｑh2、Ｑh3、…は暖房運転を行う室内機３の容量を示す。また、Ｔhs1、Ｔhs2、Ｔhs3、…は各室内機３の運転温度を示し、Ｔhr1、Ｔhr2、Ｔhr3、…は各室の室内温度を示す。このような計算は通常マイクロコンピュータにより行われる。
【００３０】
以降、前記暖房総負荷と冷房総負荷とを比較する。この時、前記暖房総負荷が冷房総負荷より大きければ、室外機１が暖房運転を行い、前記暖房総負荷が冷房総負荷より小さければ室外機１が冷房運転を行う。
【００３１】
また、前記暖房総負荷と冷房総負荷とが同一であるとき、前記室外温度と予め設定されている基準温度とを比較する。この時、前記室外温度が基準温度を超過すると室外機１が冷房運転を行い、室外温度が基準温度以下であるとき、室外機１が暖房運転を行う。
【００３２】
前記基準温度はマルチ空気調和機のマイクロコンピュータなどに予め入力された数値であり、運転環境などによって運転者が変更可能である。かかる基準温度は１５℃が最も望ましい。即ち、前記室外温度が１５℃を超過すると夏に近いので、室外機１が冷房運転を行い、室外温度が１５℃以下であるとき冬に近いので室外機１が暖房運転を行う。
【００３３】
図３は、本発明の第２実施形態によるマルチ空気調和機の運転方法を示すフローチャートであり、図４は本発明の第２実施形態による室内機の冷房総負荷と暖房総負荷を計算する方法を示す図である。本発明の第２実施形態によるマルチ空気調和機は図３に示すように、前記室内機３の運転温度がユーザーによって途中で変更すれば、前記室内機３の冷暖房総負荷を再計算して室外機１の運転パターンを決定する。
【００３４】
以下、前記冷暖房総負荷を再計算する方法について、図４を参照して詳しく説明する。まず、前記再計算される室内機３の冷房総負荷は、Ｑc1×(Ｔcr1−Ｔcm1)＋Ｑc2×(Ｔcr2−Ｔcm2)＋Ｑc3×(Ｔcr3−Ｔcm3)＋…のように計算する。ここで、Ｑc1、Ｑc2、Ｑc3、…は冷房運転を行う室内機３の容量を示す。
【００３５】
また、Ｔcm1、Ｔcm2、Ｔcm3、…は室内機３の変更された運転温度を示し、Ｔcr1、Ｔcr2、Ｔcr3、…は各室の室内温度を示す。
また、前記再計算される室内機３の暖房総負荷は、Ｑh1×(Ｔhm1−Ｔhr1)＋Ｑh2×(Ｔhm2−Ｔhr2)＋Ｑh3×(Ｔhm3−Ｔhr3)＋…のように計算する。
【００３６】
ここで、Ｑh1、Ｑh2、Ｑh3、…は冷房運転を行う室内機３の容量を示す。また、Ｔhm1、Ｔhm2、Ｔhm3、…は室内機３の変更された運転温度を示し、Ｔhr1、Ｔhr2、Ｔhr3、…は各室の室内温度を示す。
【００３７】
以降、前記室外機１の運転パターンを決定するために前記更に計算された冷房総負荷と暖房総負荷とを比較する。この前記暖房総負荷が冷房総負荷より大きければ、室外機１が暖房運転を行い、前記暖房総負荷が冷房総負荷より小さければ室外機１が冷房運転を行う。
【００３８】
また、前記暖房総負荷と冷房総負荷とが同一であるとき、室外温度と予め設定されている基準温度とを比較する。この時、前記室外温度が基準温度を超過すると室外機１が冷房運転を行い、室外温度が基準温度以下であるとき、室外機１が暖房運転を行う。前記基準温度は上述したように１５℃が最も望ましい。
【００３９】
図５は本発明の第３実施形態によるマルチ空気調和機の他の運転方法を示すフローチャートである。本発明の第３実施形態によるマルチ空気調和機は図５に示すように、前記室内機３の運転温度がユーザーによって途中で変更されたとき、前記室内機３の冷房総負荷または暖房総負荷を再計算して室外機１の運転パターンを決定する。
【００４０】
前記冷房総負荷または暖房総負荷の計算は、室外機１の運転パターンを判断した後に行われる。即ち、前記室外機１の運転パターンが冷房運転であるとき、前記室内機３の冷房総負荷だけを再計算し、前記室外機１の運転パターンが暖房運転であるとき、前記室内機３の暖房総負荷だけを再計算する。
【００４１】
このように、前記室外機１の運転パターンによって冷房総負荷または暖房だけを計算すると、簡単に室内機３の運転パターンを決定することができる。前記冷暖房総負荷の計算方法は第２実施形態において上述した方法と同一である。
【００４２】
以降、前記室外機１の運転パターンを決定するために、前記再計算した冷暖房総負荷と、運転温度が変更される前の室内機３の冷暖房総負荷とを比較する。
この時、前記再計算した冷房総負荷が、運転温度が変更される前の室内機３の暖房総負荷以上であるとき、室外機１が冷房運転を継続し、暖房総負荷未満であるとき、室外機１が暖房運転を行う。また、前記再計算した暖房総負荷が運転温度の変更前の室内機３の冷房総負荷以上であるとき室外機１が暖房運転を継続し、冷房総負荷未満であるとき室外機１が冷房運転を行う。
【００４３】
また、前記再計算した冷房総負荷が、運転温度が変更前の室内機３の暖房総負荷と同一であるか、前記再計算した暖房総負荷が、運転温度の変更前の室内機３の冷房総負荷と同一であるとき、室外温度と予め設定されている基準温度を比較することが望ましい。この時、前記室外温度が基準温度を超過すると、室外機１が冷房運転を行い、室外温度が基準温度以下であるとき室外機１が暖房運転を行う。もちろん、前記基準温度は１５℃が最も望ましい。
【００４４】
図６は本発明の第４実施形態によるマルチ空気調和機の運転方法を示すフローチャートであり、図７は本発明の第４実施形態による室内機の冷房総負荷と暖房総負荷とを計算する方法を示す図である。本発明の第４実施形態によるマルチ空気調和機は図６に示すように、前記室内機３の冷房総負荷または暖房総負荷を再計算するために室内機の３の運転温度変更によって追加として必要な室内機３の冷暖房負荷だけを計算する。
【００４５】
即ち、前記冷房総負荷は、運転温度が変更される前の室内機３の冷房総負荷と運転温度の変更によって追加として必要な室内機３の冷房負荷を合わせて計算される。また、暖房総負荷は、運転温度が変更される前の室内機３の暖房総負荷と運転温度変更によって追加として必要な室内機３の暖房負荷を合わせて計算される。
【００４６】
前記追加として必要な室内機３の冷暖房負荷を計算する方法について図７を参照して更に詳しく説明すると次の通りである。
先ず、前記追加として必要な室内機３の冷房負荷は、Ｑc1×(Ｔcs1−Ｔcm1)＋Ｑc2×(Ｔcs2−Ｔcm2)＋Ｑc3×(Ｔcs3−Ｔcm3)＋…のように計算する。
【００４７】
ここで、Ｑc1、Ｑc2、Ｑc3、…は冷房運転を行う室内機３の容量である。また、Ｔcs1、Ｔcs2、Ｔcs3、…は冷房運転を行う室内機３の変更前の運転温度を示し、Ｔcm1、Ｔcm2、Ｔcm3、…は変更後の運転温度を示す。
【００４８】
また、前記追加として必要な室内機３の暖房負荷は、Ｑh1×(Ｔhm1−Ｔhs1)＋Ｑh2×(Ｔhm2−Ｔhs2)＋Ｑh3×(Ｔhm3−Ｔhs3)＋…のように計算する。ここで、Ｑh1、Ｑh2、Ｑh3、…は暖房運転を行う室内機３の容量を示す。また、Ｔhs1、Ｔhs2、Ｔhs3、…は暖房運転を行う室内機３の変更前の運転温度を示し、Ｔhm1、Ｔhm2、Ｔhm3、…は変更後の運転温度を示す。
【００４９】
以降、前記再計算した冷暖房総負荷と運転温度が変更される前の室内機３の冷暖房総負荷とを比較して室外機１の運転パターンを決定する。
なお、前記運転パターンを決定する方法は、前記第３実施形態と同一であるので省略する。
【図面の簡単な説明】
【００５０】
【図１】本発明の第１実施形態によるマルチ空気調和機の運転方法を示すフローチャートである。
【図２】本発明の第１実施形態による室内機の冷房総負荷と暖房総負荷とを計算する方法を示す図である。
【図３】本発明の第２実施形態によるマルチ空気調和機の運転方法を示すフローチャートである。
【図４】本発明の第２実施形態による室内機の冷房総負荷と暖房総負荷とを計算する方法を示す図である。
【図５】本発明の第３実施形態によるマルチ空気調和機の運転方法を示すフローチャートである。
【図６】本発明の第４実施形態によるマルチ空気調和機の運転方法を示すフローチャートである。
【図７】本発明の第４実施形態による室内機の冷房総負荷と暖房総負荷とを計算する方法を示す図である。
【符号の説明】
【００５１】
１…室外機
２…分配機
３…室内機
【図１】
2004219063.tif 000003
【図２】
2004219063.tif 000004
【図３】
2004219063.tif 000005
【図４】
2004219063.tif 000006
【図５】
2004219063.tif 000007
【図６】
2004219063.tif 000008
【図７】
2004219063.tif 000009